(57)【要約】【課題】  プレキャストコンクリート梁の下端筋のずれの調整や上端筋のスターラップへの接合が簡単かつ効率的にできる鉄筋調整治具を提供することである。【解決手段】  鉄筋調整治具１は、中空のホルダー２内の長さ方向に沿って雄ネジ部１０を備えた回転軸３が設けられ、該回転軸３の雄ネジ部１０には移動体４が設けられ、該移動体４にはホルダー２の上面から突出した移動片５が設けられ、該移動片５と対向した固定片６がホルダー２の先端上面に突設されたものである。【選択図】図１
2005256540.tif 000002
【特許請求の範囲】
【請求項１】
中空のホルダー内の長さ方向に沿って雄ネジ部を備えた回転軸が設けられ、該回転軸の雄ネジ部には移動体が設けられ、該移動体にはホルダーの上面から突出した移動片が設けられ、該移動片と対向した固定片がホルダーの先端上面に突設されたことを特徴とする鉄筋調整治具。
【請求項２】
移動体は、回転軸の回転により前後に移動することを特徴とする請求項１に記載の鉄筋調整治具。
【請求項３】
移動片と固定片との側面は湾曲状であることを特徴とする請求項１または２に記載の鉄筋調整治具。
【請求項４】
固定片は、Ｕ字状に折り曲げた二枚板であることを特徴とする請求項１〜３のいずれかに記載の鉄筋調整治具。
【発明の詳細な説明】
【技術分野】
【０００１】
本発明は鉄筋調整治具に関するものである。
【背景技術】
【０００２】
プレキャストコンクリート部材を使用した建物の躯体工事において、図６の（１）に示すように、プレキャストコンクリート柱２０の頭部に対向して設置したプレキャストコンクリート梁２１の下端筋２２を機械式継手で接合する場合、これらの下端筋２２同士の噛み合わせがずれていると接合することが困難であることから、下端筋にチェーンブロック（図示せず）を引っ掛けて、ずれの調整をおこなっていた。また同図の（２）に示すように、プレキャストコンクリート梁２１の上面に仕込んだ上端筋２３を持ち上げてスターラップ２４に接合するには、作業者の一人が持ち上げて、他の一人が番線でスターラップ２４に結束していた。また、その他の鉄筋の機械式継手による接合方法としては、例えば特開２００２−３３９５０８号の発明がある。
【特許文献１】特開２００２−３３９５０８号公報
【発明の開示】
【発明が解決しようとする課題】
【０００３】
しかし、上記の鉄筋の接合方法においてチェーンブロックによる下端筋の間隔調整は非常に難しく、しかも梁上でのチェーンブロックの使用は安全性と効率性が悪いという問題があった。またスターラップへの上端筋の接合は、二人の作業者で行っていたため、効率が悪かった。
【０００４】
本発明は、上記のような問題に鑑みてなされたものであり、その目的は、プレキャストコンクリート梁の下端筋のずれの調整や上端筋のスターラップへの接合が簡単かつ効率的にできる鉄筋調整治具を提供することである。
【課題を解決するための手段】
【０００５】
以上の課題を解決するための手段である鉄筋調整治具は、中空のホルダー内の長さ方向に沿って雄ネジ部を備えた回転軸が設けられ、該回転軸の雄ネジ部には移動体が設けられ、該移動体にはホルダーの上面から突出した移動片が設けられ、該移動片と対向した固定片がホルダーの先端上面に突設されたことを特徴とする。また移動体は、回転軸の回転により前後に移動することを含む。また移動片と固定片との側面は湾曲状であることを含む。また固定片は、Ｕ字状に折り曲げた二枚板であることを含むものである。
【発明の効果】
【０００６】
固定片と移動片とをプレキャストコンクリート梁の下端筋の間に差し込んで、回転軸を回転させると移動片によって下端筋の間隔が押し広げられるので、その間隔の調整が簡単にできる。また鉄筋調整治具を立てた状態でプレキャストコンクリート梁の上端筋を移動片に載せて回転軸を回転させると、この移動片で上端筋が持ち上げられるので、スターラップへの接合が一人の作業者で簡単にできる。
【発明を実施するための最良の形態】
【０００７】
以下、本発明の鉄筋調整治具を図面に基づいて説明する。なお、各実施の形態において同じ構成は同じ符号を付して説明し、異なった構成は異なった符号を付して説明する。
【０００８】
図１は、第１の実施の形態の鉄筋調整治具１である。この鉄筋調整治具１はホルダー２と、回転軸３と、移動体４と、移動片５および固定片６で構成されている。
【０００９】
中空状のホルダー２内には回転軸３が、ホルダー２の中心軸と回転軸３の中心軸とを合致させて取り付けられ、この回転軸３の先端部がホルダー先端部の支持体７に、また後端部がホルダー後端部の蓋体８に回転自在に取り付けられて、回転軸全体として回転できるようになっている。
【００１０】
またホルダー２から突出した回転軸３の後部にはアタッチメント部９が設けられ、ホルダー２内の回転軸３には雄ネジ部１０が形成され、この雄ネジ部１０に回転軸３の回転で前後に移動する移動体４がねじ込まれている。この移動体４にはホルダーの長孔１１から外側に突出した移動片５が取り付けられ、この移動片５と対向する固定片６がホルダー２の先端上面に突設されている。
【００１１】
この固定片６は、鉄筋調整治具１を安定して立てることができるように、Ｕ字状に折り曲げられた二枚板で形成されている。したがって、アタッチメント部９にラチェット１６または電動インパクトレンチなどの電動締付機１７を嵌合して回転軸３を回転させると、移動片５が雄ネジ部１０を前後に移動して、固定片６との間隔が広くなったり、狭くなったりする。
【００１２】
図４は、第２の実施の形態の鉄筋調整治具１２である。この鉄筋調整治具１２は、鉄筋を載せ易く、または嵌め込み易くするために移動片５の両側と、固定片６の片側とが湾曲状に形成されたものであり、これ以外は第１の実施の形態の鉄筋調整治具１と同じ構成である。
【００１３】
また図５は、上記の鉄筋調整治具１、１２の使用方法を示したものであり、（１）はプレキャストコンクリート梁（以下ＰＣ梁という）１３の下端筋１４の間隔を調整するために使用したものであり、（２）はＰＣ梁１３の上端筋１５を持ち上げるために使用したものである。
【００１４】
ＰＣ梁１３の下端筋１４の間隔調整は、図５の（１）に示すように、まず下端筋１４の間に移動片５と固定片６とを差し込む。次に、アタッチメント部９にラチェット１６を嵌合して回転軸３を回転させると、移動片５が雄ネジ部１０を前後に移動して、下端筋１４間の距離を広くしたり、狭くしたりする。このようにＰＣ梁１３の下端筋１４間の距離の調整が作業者一人で簡単にできる。
【００１５】
一方、ＰＣ梁１３の上端筋１５の持ち上げは、図５の（２）に示すように、まず鉄筋調整治具１、１２を固定片６で垂直に立てるとともに、移動片５の上に上端筋１５を載せる。次に、この状態でアタッチメント部９に電動締付機１７を嵌合して回転軸３を回転させると、移動片５が上側に移動して、スターラップ１８まで上端筋１５を持ち上げて番線で結束する。このようにＰＣ梁１３の上端筋１５の持ち上げと結束とが作業者一人で簡単にできる。
【図面の簡単な説明】
【００１６】
【図１】第１の実施の形態の鉄筋調整治具の断面図である。
【図２】図１の側面図である。
【図３】図１の平面図である。
【図４】第２の実施の形態の鉄筋調整治具の断面図である。
【図５】鉄筋調整治具の使用状態を示し、（１）は下端筋の間隔調整用の使用図であり、（２）は上端筋の持ち上げ用の使用図である。
【図６】従来の鉄筋調整治具の使用状態を示した図である。
【符号の説明】
【００１７】
１、１２  鉄筋調整治具
２  ホルダー
３  回転軸
４  移動体
５  移動片
６  固定片
７  支持体
８  蓋体
９  アタッチメント部
１０  雄ネジ部
１１  長孔
１３、２１  ＰＣ梁
１４、２２  下端筋
１５、２３  上端筋
１６  ラチェット
１７  電動締付機
１８、２４  スターラップ
２０  ＰＣ柱
【図１】
2005256540.tif 000003
【図２】
2005256540.tif 000004
【図３】
2005256540.tif 000005
【図４】
2005256540.tif 000006
【図５】
2005256540.tif 000007
【図６】
2005256540.tif 000008